(57)【要約】【課題】  洗浄水噴射動作が完了した後、上部洗浄水噴射内部構造の内部や外部の表面に残留する洗浄水や、食器洗浄機本体の天井面に残留する洗浄水が食器の方に落下しなくなる食器洗浄機の洗浄水噴射構造を提案する。【解決手段】  内部中央部に洗浄する食器（２０）が設置される食器洗浄機本体（１０）の内部後方中央に給水連結管（６０）が上下方向に延びるように設置されていると共に、給水連結管（６０）に接続されている洗浄水噴射内部構造及びすすぎ水噴射内部構造が食器洗浄機本体（１０）内部上部及び／又は内部下部に配備されており、洗浄水噴射内部構造には、給水連結管（６０）の上端に固定されていて、給水連結管（６０）の上端から食器洗浄機本体（１０）の前方に向けて延びる先端側が二股に分かれているＵ型上部洗浄水噴射内部構造（３０Ｕ）が含まれている食器洗浄機の洗浄水噴射構造。【選択図】  図２
2006255387.tif 000002
【特許請求の範囲】
【請求項１】
内部中央部に洗浄する食器（２０）が設置される食器洗浄機本体（１０）の内部後方中央に給水連結管（６０）が上下方向に延びるように設置されていると共に、当該給水連結管（６０）に接続されている洗浄水噴射内部構造及びすすぎ水噴射内部構造が食器洗浄機本体（１０）内部上部及び／又は内部下部に配備されている食器洗浄機の洗浄水噴射構造であって、
前記洗浄水噴射内部構造には、前記給水連結管（６０）の上端に固定されていて、当該給水連結管（６０）の上端から食器洗浄機本体（１０）の前方に向けて延びる先端側が二股に分かれているＵ型上部洗浄水噴射内部構造（３０Ｕ）が含まれていることを特徴とする食器洗浄機の洗浄水噴射構造。
【請求項２】
Ｕ型上部洗浄水噴射内部構造（３０Ｕ）は、前記給水連結管（６０）の上端に固定されている後方が低く、前方が高くなるように傾斜して前記給水連結管（６０）の上端に固定設置されていることを特徴とする請求項１記載の食器洗浄機の洗浄水噴射構造。
【請求項３】
食器洗浄機本体（１０）の天井面（１１）は、前記給水連結管（６０）が配置されている後方が低く、前方が高くなるように傾斜していることを特徴とする請求項１又は２記載の食器洗浄機の洗浄水噴射構造。
【請求項４】
Ｕ型上部洗浄水噴射内部構造（３０Ｕ）の食器洗浄機本体（１０）内部中央部に設置される洗浄する食器（２０）に向かう側であるＵ型上部洗浄水噴射内部構造（３０Ｕ）の下側面に多数の噴射ノズル設置穴（３２）が形成されていて、各々の噴射ノズル設置穴（３２）に噴射ノズル（３１）が設置されており、各噴射ノズル（３１）の上端は、Ｕ型上部洗浄水噴射内部構造（３０Ｕ）の内壁下側面よりも上側に向けて凸出していることを特徴とする請求項２記載の食器洗浄機の洗浄水噴射構造。
【発明の詳細な説明】
【技術分野】
【０００１】
この発明は前面に開閉ドアがある食器洗浄機の本体内部の中央部に食器を投入して本体内部の上部や下部から高圧洗浄水やすずき水を噴射して自動的に食器を洗浄することが出来るようにした食器洗浄機に関する。特に、食器洗浄機の本体内部に投入した食器に洗剤が溶けた洗浄水を噴射する洗浄水噴射作業を終えた後、上部の洗浄水噴射内部構造や食器洗浄機本体の天井面に残留している洗浄水が食器側に落ちるのを効果的に防止できる食器洗浄機の洗浄水噴射構造に関する。
【背景技術】
【０００２】
一般般的に食器を簡単に洗浄するため、食器洗浄機は図１のように開閉ドアが前面にある食器洗浄機本体１０′内部の中央部に洗浄する食器２０′を並べられる収納箱５０′が設置されていて、食器２０′の取り入れが出来るようになっている。又、食器洗浄機本体１０′の内部の上部や内部の下部には、食器洗浄機本体内部の中央部の後方で、上下方向に延びるように配置されている給水連結管６０′に接続されて、高圧の洗浄水やすすぎ水を噴射できるよう洗浄水噴射内部構造３０Ｕ′、３０Ｄ′とすすぎ噴射内部構造４０Ｕ′、４０Ｄ′とが、左右方向に、例えば、水平方向に回転が自由できるように設置されているのが一般的である。
【０００３】
前記の従来の食器洗浄機１００′において、それぞれの洗浄水噴射内部構造３０Ｕ′、３０Ｄ′又は、すすぎ水噴射内部構造４０Ｕ′、４０Ｄ′は上部の洗浄水噴射内部構造３０Ｕ′、上部のすすぎ水噴射内部構造４０Ｕ′の下側面、下部の洗浄水噴射内部構造３０Ｄ′下部のすすぎ水噴射内部構造４０Ｄ′の上側面に、それぞれ、多数の噴射ノズルや噴射穴３１′、４１′が形成されていて、洗剤が入った洗浄水やリンス剤が入ったすすぎ水を供給すればそれぞれの噴射ノズルや噴射穴３１′、４１′から出る洗浄水とすすぎ水の噴射圧力によって、洗浄水噴射内部構造３０Ｕ′、３０Ｄ′や、すすぎ水噴射内部構造４０Ｕ′、４０Ｄ′が特定の方向（例えば、一方向）に回転しながら食器洗浄機の本体１０′内部中央に投入されている食器２０′に洗浄水やすすぎ水を噴射することが出来る。
【特許文献１】特開２００４−９７３３６号公報
【発明の開示】
【発明が解決しようとする課題】
【０００４】
従来の食器洗浄機では、図１で述べたように下部洗浄水噴射内部構造３０Ｄ′だけではなく上部洗浄水噴射内部構造３０Ｕ′も洗浄水噴射圧力によって左右方向に回転できるようになっているので、洗浄水噴射作業を終えた後、食器箱５０′の上部に位置する上部洗浄水噴射内部構造３０Ｕ′の内部や外部表面に残留する洗浄水が一定時間の間ずっと落下し、洗浄水噴射後、リンスが入ったすすぎ水を噴射して食器２０′をすすぐ時にいろいろな差し支えがあった。
【０００５】
又、すすぎが完了した食器２０′にもずっと上部洗浄水噴射内部構造３０Ｕ′の内部や外部表面に残留する洗浄水が落ちるので綺麗に洗った食器２０′を再度すすがなければならない問題もあった。
【０００６】
また、従来の食器洗浄機では、図１図示のように、食器洗浄機本体１０′の天井面１１′が水平になっているため洗浄水噴射過程で食器洗浄機本体の天井面１１′に宿っている洗浄水が食器２０′の方に落ちる問題もあった。
【０００７】
本発明は前述した従来の食器洗浄機における問題点に鑑みてなされたものであって、その目的は洗浄水噴射動作が完了した後、上部洗浄水噴射内部構造の内部や外部の表面に残留する洗浄水や、食器洗浄機本体の天井面に残留する洗浄水が、食器の方に落下しなくなる食器洗浄機の洗浄水噴射構造を提案することを目的にしている。これによって、濯ぎ（すずぎ）効率を向上させ、濯ぎ（すすぎ）が完了した食器が再び洗浄水によって濡れる、あるいは汚染されるのを防ぐことが出来るような洗浄水噴射構造を提供するのを目的にしている。
【課題を解決するための手段】
【０００８】
本発明は食器洗浄機の本体内部に投入した食器に洗剤を溶かした水（洗浄水）を噴射して洗浄する作業が終わったとき、上部の洗浄水噴射内部構造と食器洗浄機本体の天井面に残留している洗浄水が食器の方に落ちるのを防ぐ洗浄水噴射構造を提供する。
【０００９】
すなわち、本発明が提案する食器洗浄機の洗浄水噴射構造は、内部中央部に洗浄する食器２０が設置される食器洗浄機本体１０の内部後方中央に給水連結管６０が上下方向に延びるように設置されていると共に、当該給水連結管６０に接続されている洗浄水噴射内部構造及びすすぎ水噴射内部構造が食器洗浄機本体１０内部上部及び／又は内部下部に配備されている食器洗浄機の洗浄水噴射構造に関する。この場合、洗浄水噴射内部構造は食器洗浄機本体１０内部の上部のみ、あるいは、上部と下部の双方に配備されていることがあり、すすぎ水噴射内部構造も食器洗浄機本体１０内部の上部のみ、あるいは、上部と下部の双方に配備されていることがある。
【００１０】
かかる食器洗浄機の洗浄水噴射構造において、本発明の食器洗浄機の洗浄水噴射構造は、前記洗浄水噴射内部構造には、前記給水連結管６０の上端に固定されていて、当該給水連結管６０の上端から食器洗浄機本体１０の前方に向けて延びる先端側が二股に分かれているＵ型上部洗浄水噴射内部構造３０Ｕが含まれていることを特徴とするものである。
【００１１】
なお、このようなＵ型上部洗浄水噴射内部構造３０Ｕの他に、従来公知のすすぎ水噴射内部構造が、給水連結管６０に接続されていて、左右方向に回転運動可能のように、食器洗浄機本体１０内部の上部のみ、あるいは、上部と下部の双方に配備されている、更に、従来公知の洗浄水噴射内部構造が、給水連結管６０に接続されていて、左右方向に回転運動可能のように、食器洗浄機本体１０内部の下部に配備されているようにすることができる。
【００１２】
前記において、Ｕ型上部洗浄水噴射内部構造３０Ｕは、前記給水連結管６０の上端に固定されている後方が低く、前方が高くなるように傾斜して前記給水連結管６０の上端に固定設置されている形態にすることができる。
【００１３】
また、食器洗浄機本体１０の天井面１１は、前記給水連結管６０が配置されている後方が低く、前方が高くなるように傾斜している形態にすることができる。
【００１４】
更に、Ｕ型上部洗浄水噴射内部構造３０Ｕの食器洗浄機本体１０内部中央部に設置される洗浄する食器２０に向かう側であるＵ型上部洗浄水噴射内部構造３０Ｕの下側面に多数の噴射ノズル設置穴３２が形成されていて、各々の噴射ノズル設置穴３２に噴射ノズル３１が設置されており、各噴射ノズル３１の上端は、Ｕ型上部洗浄水噴射内部構造３０Ｕの内壁下側面よりも上側に向けて凸出している形態にすることができる。
【００１５】
図１図示の従来の食器洗浄機においては、洗浄水噴射作業が終わった時、食器棚５０′の上部に位置している上部洗浄水噴射内部構造３０Ｕ′の内部や外部表面に残っていた洗浄水や、食器洗浄機本体の天井面１１′に残っていた洗浄水が、一定時間の間、ずっと落ちるため、洗浄水を噴射した後、リンスを溶いたすすぎ水を噴射して食器２０′をすすぐ時、色々差し支えがあった。このため、すすぎ（濯ぎ）を完了した時にも再度、食器２０′を濯がなければならない問題がたくさんあった。
【００１６】
そこで、本発明においては、前述したように、食器洗浄機本体１０の後方で、上下方向に延びるように配置されている給水連結管６０の上端から、前方に延びるようにＵ型上部洗浄水噴射内部構造３０Ｕを給水連結管６０の上端に配備したのである。
【００１７】
また、このＵ型上部洗浄水噴射内部構造３０Ｕを前方を高くし、後方が低くなるように傾斜して配置したのである。
【００１８】
また、食器洗浄機本体１０の天井面１１を前方を高くし、後方が低くなるように傾斜させて形成したのである。
【００１９】
本発明によると、それぞれの洗浄水噴射内部構造３０Ｕ、３０Ｄを通して洗浄水噴射作業を終えた後、Ｕ型上部洗浄水噴射内部構造３０Ｕの内部や外部の表面に残留する洗浄水と天井面１１に残留している洗浄水が傾斜面にそって早く回収出来るようになる。そこで、食器洗浄機本体１０の内部中央に投入される食器２０に洗浄水が落ちなくなって各すすぎ水噴射内部構造４０Ｕ、４０Ｄによるすすぎを直ちに開始することができる。
【００２０】
このようにすすぎが行われる過程や、すすぎが終了した状態でも、Ｕ型上部洗浄水噴射内部構造３０Ｕの内部や外部の表面に残留する洗浄水や、天井面１１に残留している洗浄水が、食器２０に落ちて又、汚染するのを防ぐことが出来る。従って、食器洗浄機のすすぎ効率や、洗浄、すすぎ後の食器の商品性を高く向上させるなどの効果を得られる。
【００２１】
すなわち、本発明は前述した目的を達成するため、本体内部の後方中央に設置した給水連結管の上端に、当該上端から前方に延びるようにＵ型上部洗浄水噴射内部構造を、前方が高くて後方が低い傾斜を持つように配備し、また、食器洗浄機本体の天井面の前方側を高くして後方が低い傾斜を持つように形成したのである。
【発明の効果】
【００２２】
本発明では、給水連結管６０の上端に、当該上端から前方に延びるようにＵ型上部洗浄水噴射内部構造３０Ｕを、前方が高く、後方が低くなるように傾斜させて配備し、また、食器洗浄機本体１０の天井面１１を前方が高く、後方が低くなるように傾斜させて形成している。そこで、本発明によると、Ｕ型上部洗浄水噴射内部構造３０Ｕによって洗浄水噴射作業を終えた後、あるいはＵ型上部洗浄水噴射内部構造３０Ｕと、図２図示のように下部に配備されている下部洗浄水噴射内部構造３０Ｄとによって洗浄水噴射作業を終えた後、Ｕ型上部洗浄水噴射内部構造３０Ｕの内部や外部表面に残留している洗浄水は勿論、天井面１１に残留している洗浄水が、傾斜面にそって早く回収出来る。
【００２３】
そこで、洗浄工程完了後、図２図示のように、食器洗浄機本体１０内部中央に投入されている食器２０にＵ型上部洗浄水噴射内部構造３０Ｕの内部や外部表面に残留している洗浄水や、天井面１１に残留している洗浄水が落ちなくなる。これによって、すすぎ水噴射内部構造４０Ｕ、または、すすぎ水噴射内部構造４０Ｄ、もしくは、すすぎ水噴射内部構造４０Ｕとすすぎ水噴射内部構造４０Ｄとの双方によるすすぎ工程を、速やかに開始することができ、すすぎ工程が終了した状態で、食器２０に、Ｕ型上部洗浄水噴射内部構造３０Ｕの内部や外部表面に残留している洗浄水や天井面１１に残留している洗浄水が落下して食器２０が洗浄水によって再汚染されるのを防ぐことが出来る。
【００２４】
従って、食器洗浄時のすすぎ効率や洗浄、すすぎ後の食器２０についての商品性を高く向上させるなどの効果を得られる。
【発明を実施するための最良の形態】
【００２５】
以下、本発明の最良の実施形態を添付図面に基づいて詳述する。
【００２６】
図２には本発明の実施例の側面図が図示されていて、図３には同実施例の正面図が、図４には同実施例の要部斜視図が図示されている。
【００２７】
本発明においては、食器洗浄機本体１０の内部中央部に洗浄する食器２０が投入されて設置される。この食器洗浄機本体１０の内部後方の中央に給水連結管６０を上下方向に延びるように設置する。
【００２８】
食器洗浄機本体１０の内部上部や内部下部にはＵ型上部洗浄水噴射内部構造３０Ｕ、下部洗浄水噴射内部構造３０Ｄと、上部すすぎ水噴射内部構造４０Ｕ、下部すすぎ水噴射内部構造４０Ｄを設置する。
【００２９】
食器洗浄機１００において、上記各々のすすぎ水噴射内部構造４０Ｕ、４０Ｄや下部洗浄水噴射内部構造４０Ｄは、給水連結管６０に対して左右方向回転が自由に出来るよう接続されている。
【００３０】
なお、下部洗浄水噴射内部構造３０Ｄを設けない形態にすることができるし、上部すすぎ水噴射内部構造４０Ｕ、下部すすぎ水噴射内部構造４０Ｄのいずれか一方のみが配備されている形態にすることもできる。
【００３１】
一方、給水連結管６０の上端には、前方（図２中、左側方向）に延びるように、Ｕ型上部洗浄水噴射内部構造３０Ｕが固定設置されている。この、Ｕ型上部洗浄水噴射内部構造３０Ｕは前方が高くて後方が低い傾斜を持つように配備されている。
【００３２】
食器洗浄機本体１０の天井面１１は、前方が高く後方が低い傾斜を持つように形成されている。
【００３３】
図５（ａ）には、本発明の実施例の上部洗浄水噴射ノズル設置状態の斜視図が図示されて、図５（ｂ）には同実施例の上部洗浄水噴射ノズル設置状態の終端側の断面図が図示されている。
【００３４】
本発明によれば、洗浄水噴射動作が完了した後、給水連結管６０の上端に固定設置されているＵ型上部洗浄水噴射内部構造３０Ｕの内部に残留する洗浄水が、図５（ｂ）図示のような傾斜によって、給水連結管６０へ回収される時に、噴射ノズル又は噴射穴３１を通して食器２０が配置されている下側へ落下するのを防げるように、Ｕ型上部洗浄水噴射内部構造３０Ｕの下側に多数の噴射ノズル設置穴３２を形成し、各々の噴射ノズル設置穴３２に噴射ノズル３１を設置するとともに、各々の噴射ノズル３１の上端が、図５（ｂ）図示のように、Ｕ型上部洗浄水噴射内部構造３０Ｕの内壁下側面から上方向に向かって凸出している。
【００３５】
図示した実施例は各々の上部洗浄水噴射ノズル３１をＵ型上部洗浄水噴射内部構造３０Ｕの噴射内部構造設置穴３２にネジ結合して設置した形を持つが、本発明にあたって各々の上部洗浄水噴射ノズル３１は溶接やその他の結合形態でも設置することが出来る。
【００３６】
本発明において、Ｕ型上部洗浄水噴射内部構造３０Ｕに設置する噴射ノズル又は噴射穴３１を含めた各々の洗浄水噴射内部構造３０Ｕ、３０Ｄや各々のすすぎ水噴射内部構造４０Ｕ、４０Ｄの噴射ノズルと噴射穴３１、４１は食器洗浄機本体１０の内部中央に投入する食器２０を向くように調節できるのは勿論である。なお、添付図面中、符号５０は食器収納箱である。
【００３７】
上記のように構成した本発明によればＵ型上部洗浄水噴射内部構造３０Ｕ、下部洗浄水噴射内部構造３０Ｄの内部に洗剤を溶いた洗浄水を供給すると、Ｕ型上部洗浄水噴射内部構造３０Ｕ、下部洗浄水噴射内部構造３０Ｄの噴射ノズル又は噴射穴３１を通して食器２０の方に洗浄水が噴射する。そこで、この洗浄水噴射過程で給水連結管６０に対して、左右方向に自由に回転できるように配備されている下部洗浄水噴射内部構造３０Ｄの場合、洗浄水噴射圧力が作用する方向に回転しながら食器洗浄機本体１０の内部中央に投入、設置されている食器２０の方に洗浄水を噴射する。
【００３８】
又、給水連結管６０に固定設置したＵ型上部洗浄水噴射内部構造３０Ｕの場合は、位置変動なくその位置で食器２０の方に洗浄水を噴射する。
【００３９】
一方、Ｕ型上部洗浄水噴射内部構造３０Ｕ、下部洗浄水噴射内部構造３０Ｄを通して洗浄水の噴射が完了したら、給水連結管６０の上部に固定設置されていて、下側面に噴射ノズルまたは噴射穴３１が配備されているＵ型上部洗浄水噴射内部構造３０Ｕの外部表面に宿る洗浄水は、図２、図５（ｂ）に図示されている傾斜配備により、食器２０に向けて全然落ちなくなり、上端に噴射ノズルまたは噴射穴３１がある下部洗浄水噴射内部構造３０Ｄの外部表面に宿っている洗浄水は食器洗浄機本体１０の内部の下段部に落下するので、垂直方向に落ちても同じく食器２０には全然作用しなくなる。
【００４０】
すなわち、本発明においては、Ｕ型上部洗浄水噴射内部構造３０Ｕを前方部が高く後方部が低い傾斜になるよう形成しているため、Ｕ型上部洗浄水噴射内部構造３０Ｕの内部や外部に残留している洗浄水が傾斜面にそって給水連結管６０の方に早く回収されて、噴射ノズルや噴射穴３１を通して下部に落下しなくなる。
【００４１】
その他にも食器洗浄機本体の天井面１１も前方部が高く後方部が低い傾斜になっているため食器洗浄機の本体天井面１１に残留する洗浄水も傾斜面にそって自然的に流れることが出来るので食器２０の方には落ちなくなる。
【００４２】
又、本発明において、上部洗浄水噴射ノズル３１の上端が図５（ｂ）図示のように、Ｕ型上部洗浄水噴射内部構造３０Ｕの内壁面の下側面より高い位置に突出してあるため、洗浄水噴射動作が完了した後、給水連結管６０の上端に固定設置されているＵ型上部洗浄水噴射内部構造３０Ｕの内部に残留している洗浄水が給水連結管６０へ回収される時に、上部洗浄水噴射ノズルを通して食器２０方向へ落下するのを防いでくれる。
【００４３】
このように、本発明によれば、洗浄水噴射を終えた後、Ｕ型上部洗浄水噴射内部構造３０Ｕの内部と外部の表面に残留している洗浄水や食器洗浄機本体の天井面１１に残留している洗浄水が食器２０の方に落ちることが出来なくなるのですすぎ過程やすすぎが完了した状態で洗浄水による再汚染はなくなる。
【図面の簡単な説明】
【００４４】
【図１】従来の食器洗浄機の構造の側面図
【図２】本発明の一実施例を断面して説明する一部を省略した側面図
【図３】図２図示の実施例を断面して説明する一部を省略した正面図
【図４】図２図示の実施例の要部斜視図
【図５】（ａ）図２図示の実施例の上部洗浄水噴射ノズル設置状態の斜視図、（ｂ）同実施例の上部洗浄水噴射ノズル設置状態の終端側の断面図
【符号の説明】
【００４５】
１０  食器洗浄機本体
１１  天井面
２０  食器
３０Ｕ  Ｕ型上部洗浄水噴射内部構造
３０Ｄ  下部洗浄水噴射内部構造
３１  噴射ノズル
３２  噴射ノズル設置穴
４０Ｕ、４０Ｄ  すずき水噴射内部構造
６０  給水連結管
１００  食器洗浄機
【図１】
2006255387.tif 000003
【図２】
2006255387.tif 000004
【図３】
2006255387.tif 000005
【図４】
2006255387.tif 000006
【図５】
2006255387.tif 000007